(57)【要約】【課題】ヘッドホン使用時も、ヘッドホン非使用時と同様の自然な動作で端末装置を顔に近接させて音声通話等を使用可能とする。【解決手段】制御部１−８は、ヘッドホン２を使用した音楽再生中に、非接触デバイス検出部１−７により、ヘッドホン２への近接が検知されると、ヘッドホン２への音声出力を、携帯電話１のそのときの動作状態に応じて、第２音声データ（音声通話の音声、メール読み上げ音声、マイク１−６−２で集音される周辺の音声データのいずれか）に切り替える。ヘッドホン２への音声出力を切り替える際には、音楽データの再生を一時停止、またはミュートして第２音声データのみを出力するか、ステレオの一方のチャンネルから第１音声データを出力し、他方のチャンネルから第２音声データを出力するか、あるいは、第１音声データと第２音声データとを混合して出力する。【選択図】図１
2008236583.tif 000002
【特許請求の範囲】
【請求項１】
無線、あるいは有線で接続されたヘッドホンに音声データを出力する端末装置において、
複数の音声データの中から第１音声データを選択する選択手段と、
前記選択手段によって選択された前記第１音声データを前記ヘッドホンに出力する出力手段と、
前記ヘッドホンでの第１音声データの出力中に、前記ヘッドホンと当該端末装置とが予め設定された範囲内に近接したことを検出する近接検出手段と、
前記近接検出手段によって前記ヘッドホンと当該端末装置との近接が検出されると、前記ヘッドホンへの音声データ出力を第２音声データに切り替える切替手段と
を具備することを特徴とする端末装置。
【請求項２】
前記切替手段による切り替えの際、前記第１音声データに前記第２音声データを混合して出力する混合手段を更に具備することを特徴とする請求項１記載の端末装置。
【請求項３】
前記切替手段による切り替えの際、前記第１音声データと前記第２音声データとをステレオの左右チャンネルに分割して出力する分割手段を更に具備することを特徴とする請求項１記載の端末装置。
【請求項４】
音声による通話を行う音声通話手段を更に備え、
前記切替手段は、前記音声通話手段による通話着信時に、前記近接検出手段によって近接したことが検出された場合、前記第２音声データを前記音声通話手段による通話音声データとすることを特徴とする請求項１記載の端末装置。
【請求項５】
文字情報を受信するメール受信手段と、
前記メール受信手段により受信された文字情報を音声により読み上げる音声読み上げ手段とを更に備え、
前記切替手段は、メール着信通知後に、前記近接検出手段によって近接したことが検出された場合、前記第２音声データを前記音声読み上げ手段による読み上げ音声データとすることを特徴とする請求項１記載の端末装置。
【請求項６】
周囲の音声を集音するマイク手段を更に備え、
前記切替手段は、前記近接検出手段によって近接したことが検出された場合、前記第２音声データを前記マイク手段により集音された音声データとすることを特徴とする請求項１記載の端末装置。
【請求項７】
音楽データを再生する音楽再生手段を更に備え、
前記選択手段は、前記音楽再生手段により再生される音楽データを前記第１音声データとして選択し、
前記音楽再生手段は、前記近接検出手段によって近接したことが検出された場合、前記音楽データの再生を一時停止、あるいは前記音楽データの再生音量を変化させることを特徴とする請求項１記載の端末装置。
【請求項８】
テレビ放送、あるいはラジオ放送を受信する受信手段を更に備え、
前記選択手段は、前記受信手段により受信されるテレビ放送、あるいはラジオ放送の音声データを、前記第１音声データとして選択し、
前記受信手段は、前記近接検出手段によって近接したことが検出された場合、前記テレビ放送の受信、あるいは前記ラジオ放送の受信を中断、あるいはその音量を変化させることを特徴とする請求項１記載の端末装置。
【請求項９】
前記近接検出手段は、前記ヘッドホンの近接を検出中に、前記ヘッドホンが当該端末装置から予め設定された範囲外へ離反したことを検出し、
前記切替手段は、前記近接検出手段によって前記ヘッドホンと当該端末装置との離反が検出されると、前記ヘッドホンへの音声データ出力を前記第１音声データに戻すことを特徴とする請求項１記載の端末装置。
【請求項１０】
無線、あるいは有線で接続されたヘッドホンに音声データを出力する端末装置において、
他の端末装置と接続されたヘッドホンでの音声データの出力中に、前記ヘッドホンと当該端末装置とが予め設定された範囲内に近接したことを検出する近接検出手段と、
前記近接検出手段によって前記ヘッドホンと当該端末装置との近接が検出されると、前記ヘッドホンとの接続を当該端末装置に切り替える接続切替手段と、
前記接続切替手段によって接続が切り替えられた前記ヘッドホンに当該端末装置からの音声データを出力する出力手段と
を具備することを特徴とする端末装置。
【請求項１１】
前記接続切替手段によって接続が切り替えられたときの当該端末装置の動作状態に基づいて、複数の音声データの中から前記ヘッドホンに出力する音声データを選択する選択手段を更に具備することを特徴とする請求項１０記載の端末装置。
【請求項１２】
音声による通話を行う音声通話手段を更に備え、
前記選択手段は、前記音声通話手段による通話着信時に、前記近接検出手段によって近接したことが検出された場合、前記ヘッドホンに出力する音声データを、前記音声通話手段による通話音声データとすることを特徴とする請求項１１記載の端末装置。
【請求項１３】
文字情報を受信するメール受信手段と、
前記メール受信手段により受信された文字情報を音声により読み上げる音声読み上げ手段とを更に備え、
前記選択手段は、メール着信通知後に、前記近接検出手段によって近接したことが検出された場合、前記ヘッドホンに出力する音声データを、前記音声読み上げ手段による読み上げ音声データとすることを特徴とする請求項１１記載の端末装置。
【請求項１４】
周囲の音声を集音するマイク手段を更に備え、
前記選択手段は、前記近接検出手段によって近接したことが検出された場合、前記ヘッドホンに出力する音声データを、前記マイク手段により集音された音声データとすることを特徴とする請求項１１記載の端末装置。
【請求項１５】
無線、あるいは有線で接続されたヘッドホンに音声データを出力する端末装置を制御するコンピュータに、
複数の音声データの中から第１音声データを選択する選択機能、
前記選択された第１音声データを前記ヘッドホンに出力する出力機能、
前記ヘッドホンでの第１音声データの出力中に、前記ヘッドホンと当該端末装置とが予め設定された範囲内に近接したことを検出する近接検出機能、
前記ヘッドホンと当該端末装置との近接が検出されると、前記ヘッドホンへの音声データ出力を第２音声データに切り替える切替機能
を実行させることを特徴とするプログラム。
【請求項１６】
無線、あるいは有線で接続されたヘッドホンに音声データを出力する端末装置を制御するコンピュータに、
他の端末装置と接続された前記ヘッドホンでの音声データの出力中に、前記ヘッドホンと当該端末装置とが予め設定された範囲内に近接したことを検出する近接検出機能、
前記近接検出手段によって近接が検出されると、前記ヘッドホンとの接続を当該端末装置に切り替える接続切替機能、
前記接続切替手段によって接続が切り替えられた前記ヘッドホンに当該端末装置からの音声データを出力する出力機能
を実行させることを特徴とするプログラム。
【発明の詳細な説明】
【技術分野】
【０００１】
本発明は、無線、あるいは有線で接続されたヘッドホンに音声データを出力する端末装置及びプログラムに関する。
【背景技術】
【０００２】
従来、音楽再生機能を搭載した携帯電話でヘッドホンを使用した音楽再生中に通話着信があった場合には、ヘッドホンを外して着信に応対する必要があった。この対策として、通話着信時にヘッドホンへの出力を音楽から音声通話に切り換える技術として、ユーザ操作によって切り換える技術（例えば、特許文献１参照）、あるいは自動で切り替える技術（例えば、特許文献２参照）が提案されている。
【０００３】
【特許文献１】特開平１０−２３１１５号公報
【特許文献２】特開２００１−３３３１６１号公報
【発明の開示】
【発明が解決しようとする課題】
【０００４】
しかしながら、上述した従来技術では、外部のマイク、あるいはヘッドホンマイク（ヘッドセット）を音声通話に使用するため、音楽再生中に必要のないマイクは邪魔であり、また、ヘッドホンマイク（ヘッドセット）を使用した音声通話は普及しておらず、周囲から見ると奇異な印象を与えるという問題がある。
【０００５】
そこで、外部のマイク、あるいはヘッドホンマイク（ヘッドセット）を使用せず、携帯電話に内蔵のマイクを使用して、ヘッドホン使用時も、ヘッドホン非使用時と同様の自然な動作で、携帯電話を顔に近接させて音声通話を可能とすることが望まれる。
【０００６】
そこで本発明は、ヘッドホン使用時も、ヘッドホン非使用時と同様の自然な動作で端末装置を顔に近接させて使用することができる端末装置及びプログラムを提供することを目的とする。
【課題を解決するための手段】
【０００７】
上記目的達成のため、請求項１、１５記載の発明は、無線、あるいは有線で接続されたヘッドホンに音声データを出力する端末装置において、複数の音声データの中から第１音声データを選択する選択手段と、前記選択手段によって選択された前記第１音声データを前記ヘッドホンに出力する出力手段と、前記ヘッドホンでの第１音声データの出力中に、前記ヘッドホンと当該端末装置とが予め設定された範囲内に近接したことを検出する近接検出手段と、前記近接検出手段によって前記ヘッドホンと当該端末装置との近接が検出されると、前記ヘッドホンへの音声データ出力を第２音声データに切り替える切替手段とを具備することを特徴とする。
【０００８】
また、好ましい態様として、例えば請求項２記載のように、請求項１記載の端末装置において、前記切替手段による切り替えの際、前記第１音声データに前記第２音声データを混合して出力する混合手段を更に具備するようにしてもよい。
【０００９】
また、好ましい態様として、例えば請求項３記載のように、請求項１記載の端末装置において、前記切替手段による切り替えの際、前記第１音声データと前記第２音声データとをステレオの左右チャンネルに分割して出力する分割手段を更に具備するようにしてもよい。
【００１０】
また、好ましい態様として、例えば請求項４記載のように、請求項１記載の端末装置において、音声による通話を行う音声通話手段を更に備え、前記切替手段は、前記音声通話手段による通話着信時に、前記近接検出手段によって近接したことが検出された場合、前記第２音声データを前記音声通話手段による通話音声データとするようにしてもよい。
【００１１】
また、好ましい態様として、例えば請求項５記載のように、請求項１記載の端末装置において、文字情報を受信するメール受信手段と、前記メール受信手段により受信された文字情報を音声により読み上げる音声読み上げ手段とを更に備え、前記切替手段は、メール着信通知後に、前記近接検出手段によって近接したことが検出された場合、前記第２音声データを前記音声読み上げ手段による読み上げ音声データとするようにしてもよい。
【００１２】
また、好ましい態様として、例えば請求項６記載のように、請求項１記載の端末装置において、周囲の音声を集音するマイク手段を更に備え、前記切替手段は、前記近接検出手段によって近接したことが検出された場合、前記第２音声データを前記マイク手段により集音された音声データとするようにしてもよい。
【００１３】
また、好ましい態様として、例えば請求項７記載のように、請求項１記載の端末装置において、音楽データを再生する音楽再生手段を更に備え、前記選択手段は、前記音楽再生手段により再生される音楽データを前記第１音声データとして選択し、前記音楽再生手段は、前記近接検出手段によって近接したことが検出された場合、前記音楽データの再生を一時停止、あるいは前記音楽データの再生音量を変化させるようにしてもよい。
【００１４】
また、好ましい態様として、例えば請求項８記載のように、請求項１記載の端末装置において、テレビ放送、あるいはラジオ放送を受信する受信手段を更に備え、前記選択手段は、前記受信手段により受信されるテレビ放送、あるいはラジオ放送の音声データを、前記第１音声データとして選択し、前記受信手段は、前記近接検出手段によって近接したことが検出された場合、前記テレビ放送の受信、あるいは前記ラジオ放送の受信を中断、あるいはその音量を変化させるようにしてもよい。
【００１５】
また、好ましい態様として、例えば請求項９記載のように、請求項１記載の端末装置において、前記ヘッドホンの近接を検出中に、前記近接検出手段は、前記ヘッドホンが当該端末装置から予め設定された範囲外へ離反したことを検出し、前記切替手段は、前記近接検出手段によって前記ヘッドホンと当該端末装置との離反が検出されると、前記ヘッドホンへの音声データ出力を前記第１音声データに戻すようにしてもよい。
【００１６】
また、上記目的達成のため、請求項１０、１６記載の発明は、無線、あるいは有線で接続されたヘッドホンに音声データを出力する端末装置において、他の端末装置と接続されたヘッドホンでの音声データの出力中に、前記ヘッドホンと当該端末装置とが予め設定された範囲内に近接したことを検出する近接検出手段と、前記近接検出手段によって前記ヘッドホンと当該端末装置との近接が検出されると、前記ヘッドホンとの接続を当該端末装置に切り替える接続切替手段と、前記接続切替手段によって接続が切り替えられた前記ヘッドホンに当該端末装置からの音声データを出力する出力手段とを具備することを特徴とする。
【００１７】
また、好ましい態様として、例えば請求項１１記載のように、請求項１０記載の端末装置において、前記接続切替手段によって接続が切り替えられたときの当該端末装置の動作状態に基づいて、複数の音声データの中から前記ヘッドホンに出力する音声データを選択する選択手段を更に具備するようにしてもよい。
【００１８】
また、好ましい態様として、例えば請求項１２記載のように、請求項１１記載の端末装置において、音声による通話を行う音声通話手段を更に備え、前記選択手段は、前記音声通話手段による通話着信時に、前記近接検出手段によって近接したことが検出された場合、前記ヘッドホンに出力する音声データを、前記音声通話手段による通話音声データとするようにしてもよい。
【００１９】
また、好ましい態様として、例えば請求項１３記載のように、請求項１１記載の端末装置において、文字情報を受信するメール受信手段と、前記メール受信手段により受信された文字情報を音声により読み上げる音声読み上げ手段とを更に備え、前記選択手段は、メール着信通知後に、前記近接検出手段によって近接したことが検出された場合、前記ヘッドホンに出力する音声データを、前記音声読み上げ手段による読み上げ音声データとするようにしてもよい。
【００２０】
また、好ましい態様として、例えば請求項１４記載のように、請求項１１記載の端末装置において、周囲の音声を集音するマイク手段を更に備え、前記選択手段は、前記近接検出手段によって近接したことが検出された場合、前記ヘッドホンに出力する音声データを、前記マイク手段により集音された音声データとするようにしてもよい。
【発明の効果】
【００２１】
本発明によれば、ヘッドホン使用時も、ヘッドホン非使用時と同様の自然な動作で端末装置を顔に近接させて使用することができるという利点が得られる。
【００２２】
また、本発明によれば、キー操作等を行わなくとも、近づけた端末装置に接続を切り替えることができ、該端末装置からの音声データをヘッドホンに出力することができるという利点が得られる。
【発明を実施するための最良の形態】
【００２３】
以下、本発明の実施の形態を、図面を参照して説明する。
【００２４】
Ａ．第１実施形態
Ａ−１．第１実施形態の構成
図１は、本第１実施形態による携帯電話の構成を示すブロック図である。図において、携帯電話１は、音声通話通信部１−１、音声データ通信部１−２、操作部１−３、記憶部１−４、表示部１−５、電話部１−６、非接触デバイス検出部１−７、制御部１−８及び電源部１−９からなる。音声通話通信部１−１は、基地局を介して通信網に接続して他の携帯電話との間で音声通話を行う。
【００２５】
音声データ通信部１−２は、無線（Ｂｌｕｅｔｏｏｔｈ（登録商標）など）、あるいは有線により、再生される音楽データ１−４−１、あるいは、音声通話による音声データを後述するヘッドホン２に送信する。操作部１−３は、電話番号や、パスワード等の各種データ、各種メニューの呼び出し・選択・発信などの動作指示などを入力する。記憶部１−４は、所定のプログラムや、各種パラメータなどを記憶するとともに（ＲＯＭ）、制御部１−８の作業用エリアとして用いられる（ＲＡＭ）。特に、本第１実施形態では、記憶部１−４は、音楽データ１−４−１を記憶している。
【００２６】
表示部１−５は、例えば、ＬＣＤ（Liquid Crystal Display）や有機ＥＬ（Electro
Luminescence）等で構成され、電波強度や電池残量などの端末状態、メール文書、発信時における相手先リストや、発信相手の電話番号などを表示する。電話部１−６は、音声通話において、マイク１−６−２からの音声を取り込み、デジタル信号に変換して制御部１−８に供給する一方、音声信号をアナログ信号に変換してスピーカ１−６−１から出力する。
【００２７】
非接触デバイス検出部１−７は、非接触ＩＣリーダや、Ｂｌｕｅｔｏｏｔｈデバイス、ホール素子などからなり、ヘッドホン２を使用した音楽再生中（ラジオ含む）に着信した際に、携帯電話１がヘッドホン２に近づけられると（ヘッドホン非使用時に耳に近づけるのと同様の動作）、ヘッドホン２に実装されている非接触デバイスを検出し、ヘッドホン２の近接を検知する。例えば、ヘッドホン２に実装されているスピーカの磁石を非接触デバイスとして使用する場合には、非接触デバイス検出部１−７としてホール素子を用いればよい。
【００２８】
制御部１−８は、所定のプログラムに従って各部を制御する。特に、本第１実施形態では、制御部１−８は、ヘッドホン２を使用した音楽データ（あるいは、テレビ放送の音声データ、ラジオ放送の音声データ：第１音声データ）の再生中に、非接触デバイス検出部１−７により、ヘッドホン２の近接が検知されると、そのときの動作状態に応じて、ヘッドホン２への音声出力を、第１音声データ（音楽データ、あるいは、テレビ放送の音声データ、ラジオ放送の音声データ）から、第２音声データである、音声通話の音声、メール読み上げ音声、あるいは、マイク１−６−２で集音される周辺の音声データのいずれかに切り替える。
【００２９】
ヘッドホン２への音声出力を切り替える際には、第１音声データの再生を一時停止、またはミュートするか、あるいは、第１音声データと第２音声データとを混合して出力するか、あるいは、ステレオの一方のチャンネルから第１音声データを出力し、他方のチャンネルから第２音声データを出力するようになっている。なお、混合時は、周辺の音声データと音楽データとの混合の割合を変更可能となっている。
【００３０】
また、制御部１−８は、携帯電話１をヘッドホン２に近づけて第２音声データを聞いている状態（非接触デバイス検出部１−７により非接触デバイスの近接が検出されている状態）から、携帯電話１がヘッドホン２から離されると、第１音声データの再生を一時停止位置から再開するか、あるいはミュートを解除して音量を戻す。
【００３１】
電源部１−９は、充電可能な二次電池からなり、上述した各部へ動作用の電力を供給する。ヘッドホン２は、無線（Ｂｌｕｅｔｏｏｔｈなど）、あるいは有線により携帯電話１に接続され、音声データ通信部１−２から送信される、第１音声データまたは／及び第２音声データを受信して出力する。該ヘッドホン２は、上記携帯電話１の非接触デバイス検出部１−７により検出可能な非接触デバイスを備えており、ユーザに装着された状態で携帯電話１が近接されると（ヘッドホン非使用時に耳に近づけるのと同様の動作）、携帯電話１に実装されている非接触デバイス検出部１−７により感知される。
【００３２】
なお、携帯電話１側に非接触デバイスを設け、ヘッドホン２側に携帯電話１の非接触デバイスを検出する非接触デバイス検出手段を設けるようにしてもよい。この場合、ヘッドホン２が携帯電話１の近接を検知すると、ヘッドホン２から携帯電話１にハンズフリー要求（通話状態に切り替え、ヘッドホンへの出力を音声通話の音声に切り替える）を行う。
【００３３】
次に、図２は、本第１実施形態による携帯電話の他の構成例を示すブロック図である。なお、図１に対応する部分には同一の符号を付けて説明を省略する。図２において、テレビ／ラジオ受信部１−１０は、放送局から放送される地上波デジタル放送や、ラジオ放送からの放送信号を受信する。この場合、表示部１−５には、テレビ放送の映像やテレビ情報、データ放送などが表示される。また、操作部１−３は、チャネル操作、音量操作などのテレビ放送視聴に係る各種操作を行うことが可能となっている。図２に示す携帯電話では、音楽データに代えて、テレビ／ラジオ受信部１−１０より受信したテレビ放送、あるいはラジオ放送の音声データが第１音声データとしてヘッドホン２から音声出力される。
【００３４】
また、本第１実施形態では、操作部１−３は、音楽データ、あるいは、テレビ／ラジオ受信部１−１０により受信された地上波デジタル放送や、ラジオ放送の音声データのどちらを、第１音声データとしてヘッドホン２に出力するかを選択する際にも用いられる。
【００３５】
Ａ−２．第１実施形態の動作
次に、上述した第１実施形態の動作について説明する。
【００３６】
（メインルーチン）
図３は、本第１実施形態による携帯電話１の動作を説明するためのフローチャート（メインルーチン）である。まず、電源投入後、待ち受け画面を表示し（ステップＳ１０）、ヘッドホン２の接続操作があったか否かを判断する（ステップＳ１２）。そして、ヘッドホン２の接続操作がなかった場合には、その他の操作があったか否かを判断し（ステップＳ１４）、その他の操作があった場合には、操作に応じた処理を実行し（ステップＳ１６）、上記ステップＳ１０の待ち受け画面の表示に戻る。一方、その他の操作がなかった場合には、何もせずに上記ステップＳ１０の待ち受け画面の表示に戻る。
【００３７】
待ち受け画面において、ヘッドホン２の接続操作があった場合には、Ｂｌｕｅｔｏｏｔｈによる接続認証がＯＫであるか否かを判断し（ステップＳ１８）、該接続認証がＯＫでない場合には、上記ステップＳ１０の待ち受け画面の表示に戻る。一方、接続認証がＯＫである場合には、ヘッドホン２の接続を確立し（ステップＳ２０）、出力音声データの選択操作があったか否かを判断する（ステップＳ２２）。
【００３８】
そして、出力音声データの選択操作があった場合には、選択された音声データを第１音声データとし（ステップＳ２４）、ヘッドホン２に第１音声データを出力する（ステップＳ２６）。次に、非接触デバイス検出部１−７により、ヘッドホン２の近接を検出したか否かを判断し（ステップＳ２８）、ヘッドホン２の近接を検出した場合には、ヘッドホン近接処理を実行する（ステップＳ３０）。なお、ヘッド近接処理の詳細については後述する。
【００３９】
次に、非接触デバイス検出部１−７により、ヘッドホン２の離反を検出したか否かを判断し（ステップＳ３２）、ヘッドホン２の離反が検出されない場合には、ステップＳ３０に戻る。一方、ヘッドホン２の離反が検出された場合には、ヘッドホン離反処理を実行する（ステップＳ３４）。なお、ヘッド近接処理の詳細については後述する。その後、ステップＳ２２に戻る。
【００４０】
また、ステップＳ２８で、ヘッドホンの近接を検出しなかった場合には、第１音声データの出力停止操作があったか否かを判断する（ステップＳ３６）。そして、第１音声データの出力停止操作があった場合には、第１音声データの出力を停止するための出力停止処理を実行し（ステップＳ３８）、その後、ステップＳ１０に戻り、待ち受け画面を表示する。
【００４１】
一方、第１音声データの出力停止操作がなかった場合には、その他の操作があったか否かを判断し（ステップＳ４０）、その他の操作があった場合には、操作に応じた処理を実行し（ステップＳ４２）、ステップＳ２２に戻る。また、その他の操作がなかった場合には、何もせずステップＳ２２に戻る。
【００４２】
また、ステップＳ２２で、出力音声データの選択操作がなかった場合には、ヘッドホン２の接続解除操作があったか否かを判断する（ステップＳ４４）。そして、ヘッドホンの接続解除操作があった場合には、ヘッドホンの接続解除処理を実行し（ステップＳ４６）、その後、ステップＳ１０に戻り、待ち受け画面を表示する。一方、ヘッドホンの接続解除操作がなかった場合には、その他の操作があったか否かを判断し（ステップＳ４８）、その他の操作があった場合には、操作に応じた処理を実行し（ステップＳ５０）、ステップＳ１０に戻り、待ち受け画面を表示する。また、その他の操作がなかった場合には、何もせずステップＳ１０に戻る。
【００４３】
（ヘッドホン近接処理）
図４は、上述したヘッドホン近接処理の動作を説明するためのフローチャートである。ヘッドホン近接処理においては、まず、通話着信中であるか否かを判断する（ステップＳ６０）。そして、通話着信中である場合には、オフフック処理を実行し（ステップＳ６２）、通話音声を第２音声データとする（ステップＳ６４）。
【００４４】
また、通話着信中でない場合には、メール着信通知後であるか否かを判断する（ステップＳ６６）。そして、メール着信通知後である場合には、着信メールを開いて本文を表示部に表示し（ステップＳ６８）、メール内容を合成音声で読み上げる読み上げ音声を、第２音声データとする（ステップＳ７０）。
【００４５】
また、通話着信中でも、メール着信通知後でもない場合には、本体のマイク１−６−２により周囲の音の集音を開始し（ステップＳ７２）、マイク１−６−２で集音した音声を第２音声データとする（ステップＳ７４）。
【００４６】
そして、いずれの場合も、切り替え処理が音声データの切り替えであるか否かを判断する（ステップＳ７６）。そして、音声データの切り替えである場合には、第１音声データの出力を一時停止し（ステップＳ７８）、第２音声データをヘッドホン２へ出力する（ステップＳ８０）。なお、音量を絞る制御を行う場合には、ステップＳ７８では、現在の音量を記憶し、第１音声データの音量を最小に変更する。その後、図３に示すメインルーチンに戻る。
【００４７】
例えば、通話着信中であれば、ヘッドホン２への音声出力を、音楽データ（第１音声データ）から通話音声（第２音声データ）に切り替える。あるいは、メール着信通知後であれば、ヘッドホン２への音声出力を、音楽データ（第１音声データ）からメール読み上げ音声（第２音声データ）に切り替える。さらに、通話着信中でもメール着信通知後でもなければ、ヘッドホン２への音声出力を、音楽データ（第１音声データ）からマイク集音音声（第２音声データ）に切り替える。
【００４８】
これに対して、切り替え処理が音声データの切り替えではない場合には、切り替え処理が音声データの混合であるか否かを判断する（ステップＳ８２）。そして、音声データの混合である場合には、第１音声データと第２音声データとを混合し（ステップＳ８４）、該混合した音声データをヘッドホン２へ出力する（ステップＳ８６）。その後、図３に示すメインルーチンに戻る。
【００４９】
また、切り替え処理が音声データの切り替えでも、音声データの混合でもない場合には、第１音声データをモノラル化し（ステップＳ８８）、ヘッドホン２の左チャンネルへの出力を停止し（ステップＳ９０）、第２音声データをヘッドホン２の左チャンネルへ出力する（ステップＳ９２）。その後、図３に示すメインルーチンに戻る。
【００５０】
（ヘッドホン離反処理）
図５は、上述したヘッドホン離反処理の動作を説明するためのフローチャートである。ヘッドホン離反処理においては、まず、音声通話中であるか否かを判断し（ステップＳ１００）、音声通話中である場合には、回線を切断するオンフック処理を実行する（ステップＳ１０２）。また、音声通話中でない場合には、メール読み上げ中であるか否かを判断し（ステップＳ１０４）、メール読み上げ中である場合には、着信メールを閉じる（ステップＳ１０６）。また、音声通話中でも、メール読み上げ中でもない場合には、マイク集音を終了する（ステップＳ１０８）。
【００５１】
そして、いずれの場合も、第２音声データの出力を停止する（ステップＳ１１０）。次に、切り替え処理が音声データの切り替えであるか否かを判断する（ステップＳ１１２）。そして、音声データの切り替えである場合には、第１音声データの一時停止を解除し（ステップＳ１１４）、第１音声データをヘッドホン２へ出力する（ステップＳ１２０）。その後、図３に示すメインルーチンに戻る。なお、ヘッドホン近接処理において、音量を絞る制御をした場合には、ステップＳ１１４では、第１音声データの音量を記憶している前回の音量に戻す。
【００５２】
また、切り替え処理が音声データの切り替えでない場合には、切り替え処理が音声データの混合であるか否かを判断する（ステップＳ１１６）。そして、音声データの混合である場合には、第１音声データと第２音声データとの混合を解除し（ステップＳ１１８）、第１音声データをヘッドホン２へ出力する（ステップＳ１２０）。その後、図３に示すメインルーチンに戻る。
【００５３】
また、切り替え処理が音声データの切り替えでも、音声データの混合でもない場合には、第１音声データのモノラル化を解除し（ステップＳ１２２）、第１音声データをヘッドホン２の両チャンネルへ出力する（ステップＳ１２４）。その後、図３に示すメインルーチンに戻る。
【００５４】
次に、図６は、上述した第１実施形態による携帯電話１の動作の様子の一例を示す概念図である。図６（ａ）に示すように、Ｂｌｕｅｔｏｏｔｈを介して音楽データ（あるいは、テレビ放送の音声データ、ラジオ放送の音声データ）をヘッドホン２から出力しているとき、通話着信（あるいは、メール着信通知、それ以外）が発生すると、ユーザは、携帯電話１を通常の音声通話時と同様に顔に近づける。このとき、携帯電話１の非接触デバイス検出部１−７により、ヘッドホン２の非接触デイバスが検出され、上述したヘッドホン近接処理が実行される。
【００５５】
該ヘッドホン近接処理が実行されることにより、第１音声データである音楽データ（あるいは、テレビ放送の音声データ、ラジオ放送の音声データ）の出力が一時停止し、図６（ｂ）に示すように、第２音声データである通話音声（あるいは、メール読み上げ音声、マイク集音音声）がヘッドホン２から出力される。これにより、ヘッドホン２を装着したままで、通常通り、自然な動作で携帯電話１を顔に近接させて音声通話することができる。
【００５６】
そして、音声通話（あるいは、メール読み上げ、マイク集音）を終えたユーザが携帯電話１を顔から離すと、携帯電話１の非接触デバイス検出部１−７により、ヘッドホン２の非接触デイバスの離反が検出され、上述したヘッドホン離反処理が実行される。該ヘッドホン離反処理が実行されることにより、第２音声データである通話音声（あるいは、メール読み上げ音声、マイク集音音声）のヘッドホン２への出力が停止され、第１音声データである音楽データ（あるいは、テレビ放送の音声データ、ラジオ放送の音声データ）の一時停止が解除されてヘッドホン２から再び出力される。これにより、図６（ｃ）に示すように、携帯電話１を顔から離すことで音声通話を終えて音楽再生を再開させることができる。
【００５７】
上述したように、本第１実施形態によれば、ヘッドホン２に第１音声データが出力中であっても、携帯電話１をヘッドホン２に近づけるだけで、キー操作等を行わなくとも、ヘッドホン２への音声出力を第２音声データに切り替えることができる。
【００５８】
また、第１音声及び第２音声データを混合して出力することで、両方の音声を同時に聞くことができる。
【００５９】
また、第１音声及び第２音声データをステレオに分割して出力することで、両方の音声を同時に聞くことができる。
【００６０】
また、通話着信時に携帯電話１をヘッドホン２に近づける動作だけで、キー操作等を行わなくとも、ヘッドホン２への音声データ出力を音声通話に切り替えることができる。
【００６１】
また、メール着信通知後に携帯電話１をヘッドホン２に近づける動作だけで、キー操作等を行わなくとも、ヘッドホン２への音声データ出力を着信メールの音声読み上げに切り替えることができる。
【００６２】
また、携帯電話１をヘッドホン２に近づける動作だけで、ヘッドホン２を外したり、キー操作等を行わなくとも、ヘッドホン２への音声データ出力をマイク１−６−２から集音される音声データに切り替えて周囲の音声を聞くことができる。
【００６３】
また、携帯電話１をヘッドホン２に近づける動作だけで、キー操作等を行わなくとも、ヘッドホン２へ出力中の音楽再生データを一時停止、あるいは音量を変化させて、他の音声データに切り替えることができる。
【００６４】
また、携帯電話１をヘッドホン２に近づける動作だけで、キー操作等を行わなくとも、ヘッドホン２へ出力中のテレビ受信放送、あるいはラジオ受信放送を中断、もしくは音量を変化させて、他の音声データに切り替えることができる。
【００６５】
また、携帯電話１をヘッドホン２に近づけている状態から離す動作だけで、キー操作等を行わなくとも、ヘッドホン２への音声出力を、携帯電話１を近づける前の第１音声データに戻すことができる。
【００６６】
Ｂ．第２実施形態
次に、本発明の第２実施形態について説明する。
本第２実施形態では、他の携帯電話に無線、あるいは有線で接続されたヘッドホンで該他の端末からの音声データ出力中に、該ヘッドホンに本発明による携帯電話を近づけることにより、ヘッドホンへの音声データ出力を近づけた携帯電話からの音声データに切り替えることを特徴とする。なお、携帯電話の構成は、前述した図１または図２と同一であるので説明を省略する。
【００６７】
Ｂ−１．第２実施形態の動作
次に、上述した第２実施形態の動作について説明する。
図７は、本第２実施形態による携帯電話１の動作を説明するためのフローチャート（メインルーチン）である。まず、電源投入後、待ち受け画面を表示し（ステップＳ２００）、ヘッドホン２の近接を検出したか否かを判断し（ステップＳ２０２）、ヘッドホンの近接を検出しなかった場合には、その他の操作があったか否かを判断し（ステップＳ２０４）、その他の操作があった場合には、操作に応じた処理を実行し（ステップＳ２０６）、ステップＳ２００に戻る。また、その他の操作がなかった場合には、何もせずステップＳ２００に戻る。
【００６８】
一方、ヘッドホン２の近接を検出した場合には、ヘッドホン２が他の端末（音楽プレーヤなど）と接続中であるか否かを判断する（ステップＳ２０８）。そして、他の端末と接続中である場合には、ヘッドホン２と他の端末との接続を切断するための処理を実行し（ステップＳ２１０）、Ｂｌｕｅｔｏｏｔｈによる接続認証がＯＫであるか否かを判断し（ステップＳ２１２）、該接続認証がＯＫでない場合には、上記ステップＳ２００の待ち受け画面の表示に戻る。
【００６９】
一方、他の端末と接続中でない場合には、直接、Ｂｌｕｅｔｏｏｔｈによる接続認証がＯＫであるか否かを判断し（ステップＳ２１２）、該接続認証がＯＫでない場合には、上記ステップＳ２００の待ち受け画面の表示に戻る。
【００７０】
いずれの場合においても、Ｂｌｕｅｔｏｏｔｈによる接続認証がＯＫである場合には、ヘッドホン２の接続を確立し（ステップＳ２１４）、通話着信中であるか否かを判断する（ステップＳ２１６）。そして、通話着信中である場合には、オフフック処理を実行し（ステップＳ２１８）、通話音声をヘッドホン２へ出力する（ステップＳ２２０）。
【００７１】
また、通話着信中でない場合には、メール着信通知後であるか否かを判断する（ステップＳ２２２）。そして、メール着信通知後である場合には、着信メールを開いて本文を表示部に表示し（ステップＳ２２４）、メール内容を合成音声で読み上げる読み上げ音声を、ヘッドホン２へ出力する（ステップＳ２２６）。
【００７２】
また、通話着信中でも、メール着信通知後でもない場合には、本体のマイク１−６−２により周囲の音の集音を開始し（ステップＳ２２８）、マイク１−６−２で集音した音声をヘッドホン２へ出力する（ステップＳ２３０）。
【００７３】
次に、図８は、上述した第２実施形態による携帯電話１の動作の様子の一例を示す概念図である。図８（ａ）に示すように、例えば、他の端末２０とＢｌｕｅｔｏｏｔｈを介して接続されているヘッドホン２から再生されている音楽データを出力しているとき、携帯電話１をヘッドホン２に近づけると、携帯電話１の非接触デバイス検出部１−７により、ヘッドホン２の非接触デイバスが検出され、ヘッドホン２と他の端末２０との接続が切断され、携帯電話１と接続される。
【００７４】
そして、携帯電話１が通話着信中であれば、オフフック処理が行われ、通話音声がヘッドホン２から出力される。また、携帯電話１がメール着信通知後であれば、着信メールが開かれた後、メール読み上げ音声がヘッドホン２から出力される。また、携帯電話１が通話着信中でも、メール着信通知後でもない場合には、携帯電話１のマイク１−６−２により集音された周囲の音がヘッドホン２から出力される。これにより、図８（ｂ）に示すように、ヘッドホン２を装着したままで、通話音声、メール内容の読み上げ音声、あるいは周囲の音を聞くことができる。
【００７５】
上述した第２実施形態によれば、他の端末装置と接続されたヘッドホン２の音声データが出力中に、携帯電話１をヘッドホン２に近づける動作だけで、キー操作等を行わなくとも、近づけた携帯電話１に接続を切り替えることができ、携帯電話１からの音声データをヘッドホン２に出力することができる。
【００７６】
また、携帯電話１から出力する音声データを、切り替え時の動作状態、すなわち、通話着信中、メール着信通知後、あるいはそれ以外のいずれかに応じて、ヘッドホン２への出力音声を、例えば、通話音声、着信メールの読み上げ音声、周囲の音声に切り替えることができる。
【００７７】
また、通話着信時に携帯電話１をヘッドホン２に近づける動作だけで、キー操作等を行わなくとも、ヘッドホン３への音声データ出力を音声通話に切り替えることができる。
【００７８】
また、メール着信通知後に携帯電話１をヘッドホン２に近づける動作だけで、キー操作等を行わなくとも、ヘッドホン２への音声データ出力を着信メールの音声読み上げに切り替えることができる。
【００７９】
また、携帯電話１をヘッドホン２に近づける動作だけで、ヘッドホン２を外したり、キー操作等を行わなくとも、ヘッドホン２への音声データ出力をマイク１−６−２から集音される音声データに切り替えて周囲の音声を聞くことができる。
【図面の簡単な説明】
【００８０】
【図１】本発明の第１実施形態による携帯電話の構成を示すブロック図である。
【図２】本第１実施形態による携帯電話の他の構成例を示すブロック図である。
【図３】本第１実施形態による携帯電話１の動作を説明するためのフローチャート（メインルーチン）である。
【図４】ヘッドホン近接処理の動作を説明するためのフローチャートである。
【図５】ヘッドホン離反処理の動作を説明するためのフローチャートである。
【図６】本第１実施形態による携帯電話１の動作の様子の一例を示す概念図である。
【図７】本発明の第２実施形態による携帯電話１の動作を説明するためのフローチャート（メインルーチン）である。
【図８】本第２実施形態による携帯電話１の動作の様子の一例を示す概念図である。
【符号の説明】
【００８１】
１  携帯電話
１−１  音声通話通信部
１−２  音声データ通信部
１−３  操作部
１−４  記憶部
１−４−１  音楽データ
１−５  表示部
１−６  電話部
１−６−１  スピーカ
１−６−２  マイク
１−７  非接触デバイス検出部
１−８  制御部
１−９  電源部
１−１０  テレビ／ラジオ受信部
２  ヘッドホン
２０  他の端末装置
【図１】
2008236583.tif 000003
【図２】
2008236583.tif 000004
【図３】
2008236583.tif 000005
【図４】
2008236583.tif 000006
【図５】
2008236583.tif 000007
【図６】
2008236583.tif 000008
【図７】
2008236583.tif 000009
【図８】
2008236583.tif 000010